(57)【要約】      （修正有）【課題】豊胸マッサージ、血液循環促進、乳房組織活絡、下垂防止及び美しいボディラインの補正効果を達成する健康ブラジャー構造を提供する。【解決手段】健康ブラジャー構造は、少なくともブラジャーの左、右側カップ１０の下縁にカップ下縁曲線と一致する管状アンダーワイヤー体２０を設置し、他に各アンダーワイヤー体内に少なくとも一平衡おもり体４０を設置し、更にアンダーワイヤー体の管端に微震動モーターユニット３０を設置する。震動モーターの駆動の作用によって平衡おもり体を震動させ、それがアンダーワイヤー体内で震動することで、使用者の乳房下縁のアンダーワイヤー体から延びたエリアに対し、平均した震動マッサージ作用を起こす。【選択図】図１
0003175691.tif 000002
【実用新案登録請求の範囲】
【請求項１】
健康ブラジャー構造において、
左、右側カップと、
該左、右側カップの下縁にそれぞれ設置し、少なくとも各一平衡おもり体を設置する少なくとも二個のアンダーワイヤー体と、
各アンダーワイヤー体の管端にそれぞれ設置し、筐体内部に少なくとも一震動モーター、一電池，及び一スイッチが設置される少なくとも二個の微震動モーターユニットを含むことを特徴とする健康ブラジャー構造。
【請求項２】
前記各アンダーワイヤー体の管内は、該微震動モーターユニット駆動によって運転するファンを設置し、各アンダーワイヤー体の管の外には該微震動モーターユニットの駆動によって震動する板片を設置することを特徴とする請求項１記載の健康ブラジャー構造。
【請求項３】
前記アンダーワイヤー体の管口箇所には、該微震動モーターユニットを納置する嵌入部を成形し、該板片は該アンダーワイヤー体の嵌入部エリアに一体成型するか、もしくは該アンダーワイヤー体の嵌入部と該微震動モーターユニットの筐体の間が、相互に嵌合する嵌合構造を設置するか、または該アンダーワイヤー体の嵌入部と該微震動モーターユニットの筐体の間が、相互に螺合するネジ紋をそれぞれ設置することを特徴とする請求項２記載の健康ブラジャー構造。
【請求項４】
前記板片板体には、複数個のマッサージ凸粒を設置することを特徴とする請求項３記載の健康ブラジャー構造。
【請求項５】
前記健康ブラジャーは、左、右側カップの下縁にアンダーワイヤー体を収納する袋状差込部をそれぞれ設置することを特徴とする請求項１から４記載のうちの一項の健康ブラジャー構造。
【請求項６】
前記アンダーワイヤー体は、該左、右側カップ下縁箇所に成形連結して外側縁までそれぞれ延び、各アンダーワイヤー体は、該微震動モーターユニット駆動によって運転するファンを設置し、且つ各アンダーワイヤー体の外側には該微震動モーターユニットを収納する凹槽部を成形することを特徴とする請求項１から４記載のうちの一項の健康ブラジャー構造。
【請求項７】
前記各アンダーワイヤー体上に複数個の気孔及び複数個の突起部を設置し、且つ気孔及び突起部間は互い違いに排置することを特徴とする請求項６記載の健康ブラジャー構造。
【考案の詳細な説明】
【技術分野】
【０００１】
本考案は、ブラジャー構造に関するもので、特に乳房下縁全面に対して震動マッサージ作用を提供し、更には同時に送風効果を起こしてブラジャー着用の快適性を高める健康ブラジャー構造に係わる。
【背景技術】
【０００２】
ブラジャーは、女性が直接肌に身に付ける衣類であり、主に着用者の乳房に対して支えることで下垂を防止したり、乳房を保護したりすることで、乳房が揺れたり、擦れたりする不快感を防止する。更に、ブラジャーの発明に拠って、女性の審美観が改まり、女性が自己の胸部曲線を重視するようになった。
【０００３】
一般に公知のブラジャー構造は、基本的に、着用者の乳房を包んで固定する左、右側カップを備え、左、右側カップ上方にはどちらにもストラップが設置され、且つ該ストラップは輪っか状を形成し、左、右側カップ両外側縁箇所から伸びたサイドベルトと相互に連結する。
【０００４】
それぞれストラップの吊りとサイドベルトで人体を囲むことで、左、右側カップが乳房外で確実に覆い、左、右側カップが提供する包む作用及びストラップの吊り作用及びサイドベルトの締め付け作用によって、ブラジャーが着用者の上半身部分を維持し、乳房を持ち上げて保護する他に、乳房を中央に集中させることで高く持ち上がり美しいバストラインを作り出すことができる。
【０００５】
次に、あるブラジャーは、女性の先天性発育不良もしくは後天的産後の乳房下垂等に依る問題を改善するものがある。類似のブラジャーは、主にブラジャー内布に、比重の異なる液体を充填した袋を設置することで、使用者が活動時に、二種の混ざらない液体の相互衝撃、もしくは周辺に設置した磁塊によって、乳房をマッサージし、活絡組織を刺激して乳房の発育を高める実用目的を達成する。
【０００６】
しかしながら、上述のブラジャー内層に設置した袋は、使用者の動きに拠って衝撃作用が発生するため、実際の胸部に対して発生するマッサージ効果は有限であり、更に乳房が上に持ち上げられるため二重乳房になってしまう。
【０００７】
その他、「震動式マッサージブラジャーの改良」（例として特許文献１参照）があるが、左右両側カップ挟持層内に遠紅外線を設置し、更に挟持層中の周辺縁の適する位置を選択することによって、若干の小型ポケットを設置し、そこにマイクロ型震動モーターをそれぞれ埋め込み、ブラジャー上の絶縁線で隠す（縫込み）ことによって，ブラジャー外の敵する位置まで集中させ、それを開閉の電源接続点とする。女性は、家やもしくは都合のよい時に、マイクロ型震動モーターを始動して胸部マッサージの目的を達成する。
【先行技術文献】
【特許文献】
【０００８】
【特許文献１】台湾  実用新案登録第M２８７５９２号
【考案の概要】
【考案が解決しようとする課題】
【０００９】
解決しようとする問題点として、上述の震動式マッサージブラジャーのマッサージ作用は、マイクロ型震動モーター配置の場所に制限があるため、いわゆる胸部マッサージ、血液循環促進、乳房組織活絡、下垂防止及び美しいボディラインの補正効果にかなりの制限があり、更にはマッサージ位置が不適当だと逆効果になってしまう点である。
【課題を解決するための手段】
【００１０】
本考案は、少なくともブラジャーの左、右側カップの下縁にカップ下縁曲線と一致する管状アンダーワイヤー体を設置し、他に各アンダーワイヤー体内に少なくとも一平衡おもり体を設置し、更にアンダーワイヤー体の管端に微震動モーターユニットを設置する。震動モーターの駆動の作用によって平衡おもり体を震動させ、それがアンダーワイヤー体内で震動することで、使用者の乳房下縁のアンダーワイヤー体から延びたエリアに対し、平均した震動マッサージ作用を起こすことを最も主要な特徴とする。
【考案の効果】
【００１１】
本考案の健康ブラジャー構造は、豊胸マッサージ、血液循環促進、乳房組織活絡、下垂防止及び美しいボディラインの補正効果を達成するという利点がある。
【図面の簡単な説明】
【００１２】
【図１】本考案の健康ブラジャー全体の外観構造図である。
【図２】本考案の健康ブラジャー全体の動作指示図である。
【図３】本考案の第一実施例の微震動モーターユニットとアンダーワイヤー体の結合方式構造分解指示図である。
【図４】本考案の第二実施例の微震動モーターユニットとアンダーワイヤー体の結合方式構造分解指示図である。
【図５】本考案の第三実施例の微震動モーターユニットとアンダーワイヤー体の結合方式構造分解指示図である。
【図６】本考案の第四実施例の微震動モーターユニットとアンダーワイヤー体の結合方式構造指示図である。
【図７】本考案のアンダーワイヤー体局部構造指示図である。
【図８】本考案のアンダーワイヤー体局部構造断面図である。
【考案を実施するための形態】
【００１３】
乳房下縁全面に対して、震動マッサージ作用を提供し、更には送風効果を起こしてブラジャー着用の快適性を高める健康ブラジャー構造を提供することを本考案の主な目的とする。
【００１４】
上述の目的を達成するため、本考案の健康ブラジャーは、ブラジャーの左、右側カップの下縁に少なくともカップ下縁曲線と一致する一アンダーワイヤー体を設置し、他に各アンダーワイヤー体内に少なくとも一平衡おもり体を設置し、更にアンダーワイヤー体の管端に微震動モーターユニットを設置する。そのうち、微震動モーターユニットは、筐体内部に、少なくとも一震動モーター、一電池，及び筐体から相対して露出する一スイッチを設置する。
【００１５】
本考案の健康ブラジャーは、上述の主な構造特徴によって、使用者がブラジャーを着用後、震動モーターをオンにして動かすと、震動モーター駆動下で平衡おもり体がアンダーワイヤー体内で震動し、使用者の乳房下縁のアンダーワイヤー体から延びたエリアに対して平均した震動マッサージ作用を起こし、豊胸マッサージ、血液循環促進、乳房組織活絡、下垂防止及び美しいボディラインの補正効果を達成する。
【００１６】
具体的に説明すると、本考案の健康ブラジャーは、上述アンダーワイヤー体を設置することで、それを支持体として乳房の支持力を提供し、及び定型効果を高める他に、更に震動モーターを運転すると同時に震動モーターが駆動してアンダーワイヤー体内のバネ体が震動し、使用者の乳房下縁のアンダーワイヤー体から延びたエリアに対して平均した震動マッサージ効果を起こし、豊胸マッサージ、血液循環促進、乳房組織活絡、下垂防止及び美しいボディラインの補正の効果を達成する。
【００１７】
［実施例１］
図１は、本考案の健康ブラジャー全体の外観構造図で、図２は、本考案の健康ブラジャー全体動作指示図である。本考案の健康ブラジャーは、基本的に左、右側カップ１０，少なくとも二個のアンダーワイヤー体２０，及び少なくとも二個の微震動モーターユニット３０を含む。そのうち、
【００１８】
該左、右側カップ１０は、主に着用者の乳房を包んで固定する作用に用いる。実施時、左、右側カップ１０の間には一組のサイドベルト１１を設置し、及びそれぞれ左、右側カップ箇所には一組のストラップ１２を設置する。該二組のストラップ１２は、それぞれ各カップ１０上方、並びに該組サイドベルト１１と相互に連結して輪っかに設置する。該組サイドベルト１１は各カップ１０の外側に連結し、該組サイドベルト１１は該左、右側カップ１０外側で連結して一体になる弾力布から構成されるか、もしくは二個の相互に掛合するサイドベルト片側１１１が相互に連接して構成するもので、着用者の体を一周して締める作用がある。
【００１９】
該少なくとも二個のアンダーワイヤー体２０は、それぞれ該左、右側カップ１０の下縁に配置し、且つ各アンダーワイヤー２０の配置は、カップ１０下縁の曲線と一致するのが望ましい。各アンダーワイヤー体２０内には更に少なくとも一平衡おもり体４０を設置する。実施時、該少なくとも一平衡おもり体４０は、スプリングコイルでもよく、各アンダーワイヤー体２０上には複数個の気孔２１を設置する。
【００２０】
該少なくとも二個の微震動モーターユニット３０は、それぞれ各アンダーワイヤー体２０の管端に設置し、各微震動モーターユニット３０は、筐体３１内部に、少なくとも一震動モーター３２、一電池３３、及び筐体３１から相対して粗露出するスイッチ３４を設置する。
【００２１】
原則的に、本考案の健康ブラジャーを確実に着用した後、使用者はただ微震動モーターユニット３０のスイッチ３４を押すだけで震動モーター３２が動き、震動モーター３２の駆動の下、平衡おもり体４０をアンダーワイヤー体２０内で震動させ、使用者の乳房下縁のアンダーワイヤー体２０から伸びたエリアに対して平均した震動マッサージ作用を起こし、豊胸マッサージ、血液循環促進、乳房組織活絡、下垂防止及び美しいボディラインの補正の効果を達成する。
【００２２】
当然、本考案の健康ブラジャーは、更に各アンダーワイヤー体２０の管内に該微震動モーターユニット３０の駆動によって運転するファン(図略)を設置してもよく、更に各アンダーワイヤー体２０の気孔２１によってファンの運転が令アンダーワイヤー体２０から延びるエリアに対して平均した送風効果を起こし、ブラジャー着用の快適性を更に高める。
【００２３】
特に、本考案の健康ブラジャーは、更に各アンダーワイヤー体２０の管外に該微震動モーターユニット３０駆動によって震動する板片２３を設置する。各板片２３の板体上には複数個のマッサージ凸粒２３１が設置され、板片２３の震動作用によって使用者のカップ１０に覆われていない副乳及びリンパ部位に対しても震動マッサージ効果を与えて血液循環及び代謝作用を促進する。
【００２４】
更に、本考案の健康ブラジャーは、それぞれ左、右側カップ１０の下縁にアンダーワイヤー体２０を収納する袋状差込部１３を設置してもよく、アンダーワイヤー体２０とカップ１０を確実に結合することができる。ブラジャーを洗濯する前にアンダーワイヤー体２０を取り出しておくことで、アンダーワイヤー体２０及び微震動モーターユニット３０の使用寿命を延ばし、ブラジャー傷みを減らす。
【００２５】
以下では、更に本考案の具体的実施時、その微震動モーターユニット３０とアンダーワイヤー体２０の間のいくつかの固定結合方式を説明する。
【００２６】
図３に示すとおり、本考案のアンダーワイヤー体２０は、基本的に、管口箇所で該微震動モーターユニット３０を収納する嵌入部２２を形成する。上述のアンダーワイヤー体２０外に設置して微震動モーターユニット３０駆動によって震動作用を発生する板片２３は、該アンダーワイヤー体２０の嵌入部２２エリア箇所で一体成型して設置するのが良い。
【００２７】
［実施例２，３］
該微震動モーターユニット３０とアンダーワイヤー体２０の間の固定方式は、上述の微震動モーターユニット３０でアンダーワイヤー体２０の嵌入部２２と直接嵌合接合する他に、該アンダーワイヤー体２０の嵌入部２２と該微震動モーターユニット３０の筐体３１の間に、例として図４に示すように、相互に嵌合する嵌合構造２２１、３１１をそれぞれ設置するか、もしくは図５に示すように相互に螺設した各ネジ紋２２２、３１２で微震動モーターユニット３０の固定効果を高める。
【００２８】
［実施例４］
その他、図６に示すとおり、該アンダーワイヤー体２０は、該左、右側カップ１０下縁から外側縁へ伸びて成形連結し、各アンダーワイヤー体２０には該微震動モーターユニット３０駆動を受けて運転するファン(図略)を設置し、且つ該アンダーワイヤー体２０の管口箇所には凹槽部２４を成形して該微震動モーターユニット３０を納置しアンダーワイヤー体２０内に隠す。
【００２９】
更に図７及び図８に示すとおり、各アンダーワイヤー体２０上には複数個の気孔２１及び複数個の突起部２５を設置する。各突起部２５は左、右側カップの内側(即ち人体と接触する面)に向かって突起し、且つ気孔２１及び突起部２５間は互い違いの排列で気流空間が形成され、着用時に、空気が流入して蒸れるのを防止する。当然、左、右側カップ１０は複数の気孔２１を設置してもよい。
【００３０】
公知の震動マッサージ機能を備えたブラジャーと比較して、本考案の健康ブラジャーは、上述アンダーワイヤー体を設置することで、それを支持体として乳房の支持力を提供し、及び定型効果を高める他に、更に震動モーターを運転すると同時に震動モーターが駆動してアンダーワイヤー体内のバネ体が震動し、使用者の乳房下縁のアンダーワイヤー体から延びたエリアに対して平均した震動マッサージ効果を起こし、豊胸マッサージ、血液循環促進、乳房組織活絡、下垂防止及び美しいボディラインの補正の効果を達成する。
【００３１】
上述のとおり、本考案は、実施可能な健康ブラジャー構造を提供し、実用新案を申請する。本考案の技術内容及び技術特徴は上述のとおりであるが、当領域に習熟した者が本考案の提示に基づいた本考案の精神から乖離しない各種入れ替え及び修飾を行うかもしれない。拠って、本考案の保護範囲は、実施例に制限されず、本考案から乖離しない各種入れ替え及び修飾を以下の請求範囲に含むこととする。
【符号の説明】
【００３２】
１０      カップ
１１      サイドベルト
１１１    サイドベルト片側
１２      ストラップ
１３      袋状差込部
２０      アンダーワイヤー体
２１      気孔
２２      嵌入部
２２１    嵌合構造
２２２    ネジ紋
２３      板片
２３１    マッサージ凸粒
２４      凹槽部
２５      突起部
３０      微震動モーターユニット
３１      筐体
３１１    嵌合構造
３１２    ネジ紋
３２      震動モーター
３３      電池
３４      スイッチ
４０      平衡おもり体
【図１】
0003175691.tif 000003
【図２】
0003175691.tif 000004
【図３】
0003175691.tif 000005
【図４】
0003175691.tif 000006
【図５】
0003175691.tif 000007
【図６】
0003175691.tif 000008
【図７】
0003175691.tif 000009
【図８】
0003175691.tif 000010